(57)【要約】【課題】表示装置を用いて、いわゆるぱらぱらめくり機能を実現するに際し、コンテンツの表示内容が容易に把握可能とすることを目的とする。を効率的に図ること。【解決手段】表示画面３００を備え、表示画面３００に文字および画像の少なくともいずれかからなる複数ページにわたるコンテンツをページごとに順次切り替えて、またはスクロールすることで連続的に表示するに際し、記憶部３０１が、コンテンツを記憶し、速度情報入力部３０２が、ページめくり速度に関する情報の入力を受け付け、表示内容／切替時間決定部３０３が、速度情報入力部３０２によって入力されたページめくり速度に関する情報に基づいて、記憶部３０１に記憶されたコンテンツのうち、表示画面３００に表示する内容を決定し、表示制御部３０４が、表示画面３００を制御して、決定された内容を順次切り替えて表示、またはスクロール表示するので、多くのページをより高速で表示できる。【選択図】図３
2010107688.tif 000002
【特許請求の範囲】
【請求項１】
表示画面を備え、当該表示画面に文字および画像の少なくともいずれかからなる複数ページにわたるコンテンツをページごとに順次切り替えて表示する表示装置であって、
前記コンテンツを記憶する記憶手段と、
ページめくり速度に関する情報の入力を受け付ける入力手段と、
前記入力手段によって入力されたページめくり速度に関する情報に基づいて、前記記憶手段によって記憶されたコンテンツのうち、各ページごとに表示する内容を決定する決定手段と、
前記表示画面を制御して、前記決定手段によって決定された内容を順次切り替えて表示する表示制御手段と、
を備えたことを特徴とする表示装置。
【請求項２】
前記決定手段は、前記入力手段によって入力されたページめくり速度に関する情報に基づいて、前記各ページの切り替え時間を決定することを特徴とする請求項１に記載の表示装置。
【請求項３】
表示画面を備え、当該表示画面に文字および画像の少なくともいずれかからなる複数ページにわたるコンテンツをスクロールすることで連続的に表示する表示装置であって、
前記コンテンツを記憶する記憶手段と、
ページめくり速度に関する情報の入力を受け付ける入力手段と、
前記入力手段によって入力されたページめくり速度に関する情報に基づいて、前記記憶手段によって記憶されたコンテンツのうち、前記表示画面に表示する内容を決定する決定手段と、
前記表示画面を制御して、前記決定手段によって決定された内容をスクロール表示する表示制御手段と、
を備えたことを特徴とする表示装置。
【請求項４】
前記決定手段は、前記入力手段によって入力されたページめくり速度に関する情報に基づいて、前記スクロールの速度を決定することを特徴とする請求項３に記載の表示装置。
【請求項５】
前記コンテンツは、当該内容が階層構造をなし、
前記決定手段は、前記入力手段によって入力されたページめくり速度に関する情報に基づいて、前記コンテンツの所定の階層のみとなるように、表示するコンテンツの内容を決定することを特徴とする請求項１〜４のいずれか一つに記載の表示装置。
【請求項６】
前記入力手段は、複数の接触検知手段を備え、操作者が表示装置の所定の位置を接触することによって、接触位置によって異なるページめくり速度となるように構成することを特徴とする請求項１〜５のいずれか一つに記載の表示装置。
【請求項７】
前記入力手段は、複数の接触検知手段を備え、操作者が表示装置の所定の位置から別の位置へ接触位置を移動させることによって、当該移動の速度によって異なるページめくり速度となるように構成することを特徴とする請求項１〜５のいずれか一つに記載の表示装置。
【請求項８】
前記入力手段は、圧力検出手段を備え、操作者が表示装置の所定の位置を接触することによって、その接触する圧力によって異なるページ速度となるように構成することを特徴とする請求項１〜５のいずれか一つに記載の表示装置。
【請求項９】
前記入力手段は、たわみ検出手段を備え、操作者が表示装置自体をたわませることによって、そのたわみ量によって異なるページ速度となるように構成することを特徴とする請求項１〜５のいずれか一つに記載の表示装置。
【請求項１０】
表示画面と、入力手段と、決定手段と、表示制御手段と、を備え、当該表示画面に文字および画像の少なくともいずれかからなる複数ページにわたるコンテンツをページごとに順次切り替えて表示する表示装置が実行する表示方法であって、
前記入力手段が、ページめくり速度に関する情報の入力を受け付ける入力工程と、
前記決定手段が、前記入力工程によって入力されたページめくり速度に関する情報に基づいて、記憶されたコンテンツのうち、各ページごとに表示する内容を決定する決定工程と、
前記表示制御手段が、前記表示画面を制御して、前記決定工程によって決定された内容を順次切り替えて表示する表示制御工程と、
を含んだことを特徴とする表示方法。
【請求項１１】
表示画面と、入力手段と、決定手段と、表示制御手段と、を備え、当該表示画面に文字および画像の少なくともいずれかからなる複数ページにわたるコンテンツをスクロールすることで連続的に表示する表示装置が実行する表示方法であって、
前記入力手段が、ページめくり速度に関する情報の入力を受け付ける入力工程と、
前記決定手段が、前記入力工程によって入力されたページめくり速度に関する情報に基づいて、記憶されたコンテンツのうち、前記表示画面に表示する内容を決定する決定工程と、
前記表示制御手段が、前記表示画面を制御して、前記決定工程によって決定された内容をスクロール表示する表示制御工程と、
を含んだことを特徴とする表示方法。
【請求項１２】
表示画面と、入力手段と、決定手段と、表示制御手段と、を備え、当該表示画面に文字および画像の少なくともいずれかからなる複数ページにわたるコンテンツをページごとに順次切り替えて表示する表示装置に実行させる表示プログラムであって、
前記入力手段が、ページめくり速度に関する情報の入力を受け付ける入力工程と、
前記決定手段が、前記入力工程によって入力されたページめくり速度に関する情報に基づいて、記憶されたコンテンツのうち、各ページごとに表示する内容を決定する決定工程と、
前記表示制御手段が、前記表示画面を制御して、前記決定工程によって決定された内容を順次切り替えて表示する表示制御工程と、
を含んだことを特徴とする表示プログラム。
【請求項１３】
表示画面と、入力手段と、決定手段と、表示制御手段と、を備え、当該表示画面に文字および画像の少なくともいずれかからなる複数ページにわたるコンテンツをスクロールすることで連続的に表示する表示装置に実行させる表示プログラムであって、
前記入力手段が、ページめくり速度に関する情報の入力を受け付ける入力工程と、
前記決定手段が、前記入力工程によって入力されたページめくり速度に関する情報に基づいて、記憶されたコンテンツのうち、前記表示画面に表示する内容を決定する決定工程と、
前記表示制御手段が、前記表示画面を制御して、前記決定工程によって決定された内容をスクロール表示する表示制御工程と、
を含んだことを特徴とする表示プログラム。
【発明の詳細な説明】
【技術分野】
【０００１】
この発明は、表示画面を備えた表示装置、その表示装置が実行する表示方法およびその表示装置によって実行される表示プログラムに関し、特に、当該表示画面に文字および画像の少なくともいずれかからなる複数ページにわたるコンテンツを表示する表示装置、表示方法および表示プログラムに関する。
【背景技術】
【０００２】
近年、本やマニュアルなど、通常、印刷した冊子によって保存、閲覧が可能なコンテンツを、表示装置を備えた情報処理装置などに表示させることによって電子化する傾向がある。特に、情報量が多いコンテンツの場合に、ページ数が増加することで冊子が厚くなるため、これらのコンテンツを電子化することによって、冊子の保管場所の節約、紙資源の節約などに寄与することができる。通常、表示画面が１つまたは２つ程度であるため、コンテンツを表示するためには、スクロールしたり切り替えて表示しなければならない。
【０００３】
また、表示装置としてフレキシブルな表示媒体である電子ペーパーが注目され、操作性に優れた電子ペーパーファイルに関する技術が開示されている（たとえば、特許文献１）。この電子ペーパーファイルは、電子ペーパーと当該電子ペーパーを複数ページ装着することができる本体とからなる電子ペーパーファイルであって、電子ペーパーに表示する表示用データを記憶し、所望のページの指定を受け付ける。指定された所望のページに対応する表示用データを、記憶手段から取得するとともに電子ペーパーに表示する。このようにすることで、膨大なページ数の電子ペーパーを電子ペーパーファイルに装着しておかなくても、百科辞典データや論文集データのように膨大なサイズのデータの全部を電子ペーパーに表示することが可能となるため、電子ペーパーファイルの操作性が向上するものである。
【０００４】
【特許文献１】特開２００２−２８７６９０号公報
【発明の開示】
【発明が解決しようとする課題】
【０００５】
しかしながら、上記従来技術にかかる表示装置では、コンテンツの内容すべてを切り替えて表示したり、スクロールするようにすると、データ量が膨大である場合には、冊子において通常おこなわれるいわゆるぱらぱらめくり（コンテンツの内容を高速で連続的に見ること）をすると、多くの時間がかかってしまうという問題点があった。短い時間で切り替え表示をおこなうと、切り替えの頻度が多く、つぎの切替までの時間が短くなるため、コンテンツの内容が把握しづらくなってしまう。スクロールも同様に、速くスクロールすることによって、やはりコンテンツの内容が把握しづらくなってしまうという問題点があった。また、上記特許文献１のように複数ページの電子ペーパーを装着したとしても、ぱらぱらめくりには適さないという問題点があった。
【０００６】
この発明は、上述した従来技術による問題点を解消するため、いわゆるぱらぱらめくり機能を実現するに際し、コンテンツの表示内容が容易に把握可能な表示装置、表示方法および表示プログラムを提供することを目的とする。
【課題を解決するための手段】
【０００７】
上述した課題を解決し、目的を達成するため、この発明にかかる表示装置は、表示画面を備え、当該表示画面に文字および画像の少なくともいずれかからなる複数ページにわたるコンテンツをページごとに順次切り替えて表示する表示装置であって、前記コンテンツを記憶する記憶手段と、ページめくり速度に関する情報の入力を受け付ける入力手段と、前記入力手段によって入力されたページめくり速度に関する情報に基づいて、前記記憶手段によって記憶されたコンテンツのうち、各ページごとに表示する内容を決定する決定手段と、前記表示画面を制御して、前記決定手段によって決定された内容を順次切り替えて表示する表示制御手段と、を備えたことを特徴とする。
【０００８】
また、この発明にかかる表示装置は、上記発明において、前記決定手段が、前記入力手段によって入力されたページめくり速度に関する情報に基づいて、前記各ページの切り替え時間を決定することを特徴とする。
【０００９】
また、この発明にかかる表示装置は、表示画面を備え、当該表示画面に文字および画像の少なくともいずれかからなる複数ページにわたるコンテンツをスクロールすることで連続的に表示する表示装置であって、前記コンテンツを記憶する記憶手段と、ページめくり速度に関する情報の入力を受け付ける入力手段と、前記入力手段によって入力されたページめくり速度に関する情報に基づいて、前記記憶手段によって記憶されたコンテンツのうち、前記表示画面に表示する内容を決定する決定手段と、前記表示画面を制御して、前記決定手段によって決定された内容をスクロール表示する表示制御手段と、を備えたことを特徴とする。
【００１０】
また、この発明にかかる表示装置は、上記発明において、前記決定手段が、前記入力手段によって入力されたページめくり速度に関する情報に基づいて、前記スクロールの速度を決定することを特徴とする。
【００１１】
また、この発明にかかる表示装置は、上記発明において、前記コンテンツが、当該内容が階層構造をなし、前記決定手段が、前記入力手段によって入力されたページめくり速度に関する情報に基づいて、前記コンテンツの所定の階層のみとなるように、表示するコンテンツの内容を決定することを特徴とする。
【００１２】
また、この発明にかかる表示装置は、上記発明において、前記入力手段が、複数の接触検知手段を備え、操作者が表示装置の所定の位置を接触することによって、接触位置によって異なるページめくり速度となるように構成することを特徴とする。
【００１３】
また、この発明にかかる表示装置は、上記発明において、前記入力手段が、複数の接触検知手段を備え、操作者が表示装置の所定の位置から別の位置へ接触位置を移動させることによって、当該移動の速度によって異なるページめくり速度となるように構成することを特徴とする。
【００１４】
また、この発明にかかる表示装置は、上記発明において、前記入力手段が、圧力検出手段を備え、操作者が表示装置の所定の位置を接触することによって、その接触する圧力によって異なるページ速度となるように構成することを特徴とする。
【００１５】
また、この発明にかかる表示装置は、上記発明において、前記入力手段が、たわみ検出手段を備え、操作者が表示装置自体をたわませることによって、そのたわみ量によって異なるページ速度となるように構成することを特徴とする。
【００１６】
また、この発明にかかる表示方法は、表示画面と、入力手段と、決定手段と、表示制御手段と、を備え、当該表示画面に文字および画像の少なくともいずれかからなる複数ページにわたるコンテンツをページごとに順次切り替えて表示する表示装置が実行する表示方法であって、前記入力手段が、ページめくり速度に関する情報の入力を受け付ける入力工程と、前記決定手段が、前記入力工程によって入力されたページめくり速度に関する情報に基づいて、記憶されたコンテンツのうち、各ページごとに表示する内容を決定する決定工程と、前記表示制御手段が、前記表示画面を制御して、前記決定工程によって決定された内容を順次切り替えて表示する表示制御工程と、を含んだことを特徴とする。
【００１７】
また、この発明にかかる表示方法は、表示画面と、入力手段と、決定手段と、表示制御手段と、を備え、当該表示画面に文字および画像の少なくともいずれかからなる複数ページにわたるコンテンツをスクロールすることで連続的に表示する表示装置が実行する表示方法であって、前記入力手段が、ページめくり速度に関する情報の入力を受け付ける入力工程と、前記決定手段が、前記入力工程によって入力されたページめくり速度に関する情報に基づいて、記憶されたコンテンツのうち、前記表示画面に表示する内容を決定する決定工程と、前記表示制御手段が、前記表示画面を制御して、前記決定工程によって決定された内容をスクロール表示する表示制御工程と、を含んだことを特徴とする。
【００１８】
また、この発明にかかる表示プログラムは、表示画面と、入力手段と、決定手段と、表示制御手段と、を備え、当該表示画面に文字および画像の少なくともいずれかからなる複数ページにわたるコンテンツをページごとに順次切り替えて表示する表示装置に実行させる表示プログラムであって、前記入力手段が、ページめくり速度に関する情報の入力を受け付ける入力工程と、前記決定手段が、前記入力工程によって入力されたページめくり速度に関する情報に基づいて、記憶されたコンテンツのうち、各ページごとに表示する内容を決定する決定工程と、前記表示制御手段が、前記表示画面を制御して、前記決定工程によって決定された内容を順次切り替えて表示する表示制御工程と、を含んだことを特徴とする。
【００１９】
また、この発明にかかる表示プログラムは、表示画面と、入力手段と、決定手段と、表示制御手段と、を備え、当該表示画面に文字および画像の少なくともいずれかからなる複数ページにわたるコンテンツをスクロールすることで連続的に表示する表示装置に実行させる表示プログラムであって、前記入力手段が、ページめくり速度に関する情報の入力を受け付ける入力工程と、前記決定手段が、前記入力工程によって入力されたページめくり速度に関する情報に基づいて、記憶されたコンテンツのうち、前記表示画面に表示する内容を決定する決定工程と、前記表示制御手段が、前記表示画面を制御して、前記決定工程によって決定された内容をスクロール表示する表示制御工程と、を含んだことを特徴とする。
【発明の効果】
【００２０】
この発明によれば、ページ数が多いコンテンツであっても、多くのページをより高速で表示でき、これによって、表示画面上において高速でぱらぱらめくりを実現することが可能な表示装置、表示方法および表示プログラムが得られるという効果を奏する。
【発明を実施するための最良の形態】
【００２１】
以下に添付図面を参照して、この発明にかかる表示装置、表示方法および表示プログラムの好適な実施の形態を詳細に説明する。
【００２２】
（表示装置の外観の一例）
図１は、この発明の本実施の形態にかかる表示装置の外観の一例を示す説明図である。図１において、表示装置１００は、ディスプレイ１０１と、表示装置１００の左右端に設けられ、表示装置１００を右左の手でそれぞれ把持する把持部１０２、１０３と、各種操作ボタン１０４とから構成される。また、図示を省略するが、表示装置１００に電力を供給するバッテリーを備えている。
【００２３】
また、図示を省略するが、音声を出力することが可能なスピーカーを備えていてもよい。スピーカーからは、収録されたコンテンツを再生してもよく、操作の確認音を出力してもよく、ページめくりの状態を音声にて出力するようにしてもよい。
【００２４】
表示装置１００の寸法は、たとえばＡ４サイズ、Ｂ５サイズ程度が好ましい。ただし、このサイズには限らず、さらに大きいサイズであってもよく、携帯し易いように、さらに小さいサイズであってもよい。また表示装置は、図１では、縦長に構成されているが、これには限らず、横長のサイズであっても、正方形のサイズであってもよい。また、図示を省略するが、ディスプレイ１０１は、１画面に限定されるものではなく、２画面以上備えていてもよい。たとえば、本の見開きのように、縦長のディスプレイを２つ横に並べた構成であってもよい。
【００２５】
把持部１０２、１０３の詳細な内容については後述する。操作ボタン１０４は、電源ＯＮ／ＯＦＦボタンや、コンテンツの選択など各種操作入力をするために複数個設けられている。
【００２６】
（表示装置のハードウエア構成）
図２は、この発明の実施の形態にかかる表示装置のハードウエア構成を示すブロック図である。図２において、この表示装置１００は、たとえば、ＣＰＵ２０１と、ＲＯＭ２０２と、ＲＡＭ２０３と、ハードディスク（ＨＤ）２０４と、メモリーカード２０５と、インターフェース（Ｉ／Ｆ）２０６と、ディスプレイ１０１と、操作ボタン１０４と、センサ２０９と、を備えている。そして、上記各構成部２０１〜２０９はバス２００によってそれぞれ接続されている。
【００２７】
ＣＰＵ２０１は、表示装置１００の全体の制御を司る。ＲＯＭ２０２は、ブートプログラムなどの各種プログラムを記憶している。ＲＡＭ２０３は、ＣＰＵ２０１のワークエリアとして使用される。ＨＤ２０４は、コンテンツを含む各種データを記憶する。
【００２８】
メモリーカード２０５は、着脱可能な外部記憶媒体の一例であり、表示装置１００に各種データを取り込むことができる。着脱可能な記録媒体として、メモリーカード２０５のほか、ＦＤ、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）などであってもよい。
【００２９】
Ｉ／Ｆ（インターフェース）２０６は、通信回線を通じて、有線あるいは無線によって外部情報処理装置と接続される。無線通信は、具体的にはたとえば赤外線通信、Ｂｌｕｅｔｏｏｔｈなどである。ディスプレイ１０１は、文書、画像、機能情報などのデータを表示する。たとえば、ＴＦＴ液晶ディスプレイ、有機ＥＬディスプレイなどである。
【００３０】
操作ボタン１０４は、電源のＯＮ／ＯＦＦや各種操作のためのボタンであり、ディスプレイ１０１上に設けられたタッチパネルも含む。すなわち、操作ボタン１０４の代わりにあるいは操作ボタン１０４に加えて、ディスプレイ１０１をタッチパネルによって構成し、各種操作入力をするようにしてもよい。
【００３１】
センサ２０９は、たとえば、操作者の指などが接触したことを検知するセンサ、操作者の指などが移動したことを検知するセンサ、操作者の指などによって加えられた圧力量を検出するセンサ、表示装置自体のたわみ量を検出するセンサ（たとえば、物理量の変化でたわみ量が変化するたわみ部材の、たわみの引張り面側にＦＢＧ（光ファイバブラッグ回折格子）を取り付けて構成されるセンサ）などの各種センサから構成される。
【００３２】
（表示装置の機能的構成）
つぎに、表示装置１００の機能的構成について説明する。図３は、この発明の実施の形態にかかる表示装置の機能的構成の一例を示すブロック図である。図３において、本実施の形態にかかる表示装置１００は、表示画面３００と、記憶部３０１と、速度情報入力部３０２と、表示内容／切替時間決定部３０３と、表示制御部３０４と、を含む構成となっている。
【００３３】
ここで、表示画面３００は、文字および画像の少なくともいずれかからなる複数ページにわたるコンテンツをページごとに順次切り替えて表示する。また、表示画面３００は、文字および画像の少なくともいずれかからなる複数ページにわたるコンテンツをスクロールする（すなわち、表示しているコンテンツの上流側の一部を消去し、その分、表示内容を上流側に移動させ、下流側に続きのコンテンツを表示させる）ことで連続的に表示するものであってもよい。スクロールは、文章コンテンツが横書きの場合は、下側から上側へおこない、文書コンテンツが縦書きの場合は、左側から右側へおこなうのがよい。表示画面３００は、具体的には、図２に示したディスプレイ１０１によって、その機能を実現する。
【００３４】
記憶部３０１は、コンテンツや関連テーブル（後述する）などの各種情報を記憶する。また、記憶部３０１にコンテンツの一覧情報などを記憶しておいてもよい。記憶部３０１は、具体的には、図２に示したＲＯＭ２０２、ＲＡＭ２０３、ＨＤ２０４、メモリーカード２０５によってその機能を実現する。
【００３５】
速度情報入力部３０２は、ページめくり速度に関する情報の入力を受け付ける。速度情報入力部３０２は、具体的には、図２に示した操作ボタン１０４またはセンサ２０９によってその機能を実現する。速度情報入力部３０２は、接触検知部３１１、圧力検出部３１２、たわみ検出部３１３の少なくともいずれか一つを含んでいるとよい。速度情報入力部３０２の詳細については後述する。
【００３６】
表示内容／切替時間決定部３０３は、速度情報入力部３０２によって入力されたページめくり速度に関する情報に基づいて、記憶部３０１によって記憶されたコンテンツを抽出し、各ページごとに表示するコンテンツの内容を、記憶部３０１に記憶された所定のテーブル（たとえば、後述する図５または図７の関連テーブル）を用いて決定する。また、表示するコンテンツの内容は、各ページごとではなく、スクロール可能に連続した内容として決定するようにしてもよい。
【００３７】
また、表示内容／切替時間決定部３０３は、速度情報入力部３０２によって入力されたページめくり速度に関する情報に基づいて、各ページの切り替え時間またはスクロール速度を決定するようにしてもよい。したがって、ページめくり速度に関する情報に基づいて、各ページごとに表示するコンテンツの内容を決定するとともに、各ページの切り替え時間を決定するようにしてもよい。あるいは、ページめくり速度に関する情報に基づいて、各ページごとに表示するコンテンツの内容を決定するとともに、スクロール速度を決定するようにしてもよい。コンテンツの内容、各ページの切り替え時間を決定の詳細については、後述する。
【００３８】
表示内容／切替時間決定部３０３は、具体的には、図２に示したＣＰＵ２０１が、ＲＯＭ２０２、ＲＡＭ２０３、ＨＤ２０４またはメモリーカード２０５に記憶されたプログラムを実行することによってその機能を実現する。
【００３９】
各ページごとに表示するコンテンツは、その内容が階層構造をなすようにしてもよい。そうすることで、表示内容／切替時間決定部３０３は、速度情報入力部３０２によって入力されたページめくり速度に関する情報に基づいて、コンテンツの所定の階層のみとなるように、表示するコンテンツの内容を決定することができる。
【００４０】
また、各ページごとに表示するコンテンツの内容が階層構造をなす場合に、そのコンテンツの各階層がタイトルと内容とから構成されるようにしてもよい。そうすることで、表示内容／切替時間決定部３０３は、速度情報入力部３０２によって入力されたページめくり速度に関する情報に基づいて、各階層ごとに、タイトルと内容の全部または一部を表示するか、あるいはタイトルのみを表示するかを決定することができる。
【００４１】
表示制御部３０４は、表示画面３００を制御して、表示内容／切替時間決定部３０３によって決定された内容を切り替えて表示する。
【００４２】
（速度情報入力部３０２の内容）
速度情報入力部３０２は、操作者が把持部１０２、１０３または操作ボタン１０４を所定操作することによって、速度情報の入力を受け付ける。速度情報の入力方法については、特に限定するものではない。所定の操作ボタン１０４が押下されることによって速度情報が入力されてもよく、表示装置が、図示を省略する音声認識装置を搭載し、操作者が発した音声によって速度情報の入力を受け付けてもよい。
【００４３】
また、速度情報入力部３０２は、複数の接触検知部３１１を備えていてもよい。そして、速度情報入力部３０２は、操作者が表示装置１００の所定の位置を接触することによって、接触位置によって異なるページめくり速度となるように構成することができる。図４は、把持部１０２および１０３の詳細な外観の一例を示す説明図である。
【００４４】
図４において、把持部１０２および１０３の表面には、上下の矢印とともに、上方には「速」、下方には「遅」という文字が表示（または印刷）されている。接触検知部３１１（センサ２０９）は、把持部１０２に複数埋め込まれている。そして、操作者が、把持部１０２および１０３のできるだけ上側の所定の位置を触ることによって、上側に埋め込まれた接触検知部３１１によって、操作者が当該位置を検出する。そして、上側であるので、操作者が希望するページめくり速度は高速であると判断することができる。また、右側の把持部１０２を把持すると速度を速くし、逆に左側の把持部１０３を把持すると速度を遅くするように設定してもよい。その情報を表示内容／切替時間決定部３０３に対して出力する。
【００４５】
また、把持部１０２のうち、操作者の指が触る位置ではなく、指を移動させる（滑らせる）方向を検出し、その方向によって速度の入力情報とすることもできる。たとえば、図４の把持部１０２、１０３において、操作者が指を下から上へ滑らせるように移動させると、速度を速くすると認識し、逆に上から下へ滑らせるように移動させると、速度を遅くすると認識するようにしてもよい。さらに、移動の方向ではなく、移動の速度（滑らせる速度）を検出し、その移動の速度（滑らせる速度）によって異なるページめくり速度となるように構成するようにしてもよい。たとえば、速く滑らせると速度を速くすると認識し、逆に遅く滑らせると速度を遅くし、さらに、滑らせるのを止めると、切替（またはスクロール）を停止するようにしてもよい。
【００４６】
また、速度情報入力部３０２は、圧力検出部３１２を備えていてもよい。圧力検出部３１２は、たとえば把持部１０２、１０３の所定の位置に備えられており、操作者が把持部１０２、１０３を把持した際の圧力を検出する。そして検出された圧力量または圧力の変化量を速度情報として表示内容／切替時間決定部３０３に対して出力する。すなわち、操作者が把持部１０２、１０３を軽く握った場合は遅く、強く握った場合は速くという速度情報の入力を受け付けることができる。また、握りを止めた場合に、入力がＯＦＦになったと判断するようにしてもよい。
【００４７】
また、速度情報入力部３０２は、たわみ検出部３１３を備えていてもよい。圧力検出３１２は、たとえば操作者が把持部１０２、１０３を把持して、表示装置１００自体をたわませた際のたわみを検出する。そして検出されたたわみ量またはたわみの変化量を速度情報として表示内容／切替時間決定部３０３に対して出力する。すなわち、操作者が表示装置１００を軽くたわませた場合は遅く、強く握った場合は速くという速度情報の入力を受け付けることができる。また、たわませることを止めた場合に、入力がＯＦＦになったと判断するようにしてもよい。
【００４８】
（めくり速度と切替（スクロール）速度との関係）
つぎに、めくり速度とコンテンツ表示・切替速度またはスクロール速度との関係について説明する。図５および図７は、記憶部３０１に記憶された、めくり速度とコンテンツ表示および切替またはスクロール速度との関係テーブルの一例を示す説明図である。また、図６−１〜図６−３は、表示画面３００に表示される表示内容の一例を示す説明図である。
【００４９】
図５および図７の関係テーブルでは、めくり速度を「１（遅い）」〜「６（速い）」の６段階の入力ができることとして説明する。めくり速度は、６段階に限定されるものではなく、それよりも多くの段階の入力が可能であってもよく、少ない段階の入力が可能であってもよい。
【００５０】
また、ここでは、コンテンツは、３階層（一番上位の「階層１」、つぎの「階層２」、一番下位の「階層３」）から構成されているものとして説明する。階層は、３階層に限定されるものではなく、それよりも多い階層であってもよく、少ない階層であってもよい。また、文字と画像とを異なる階層として設定するようにしてもよい。
【００５１】
さらに、ここでは、切替速度またはスクロール速度は、「速い」と「遅い」の２段階となっているものとして説明する。速度は、２段階に限定されるものではなく、それよりも多くの段階に切り替わるようにしてもよい。また、速度は切り替わらず、１段階であってもよい。
【００５２】
図５の関係テーブルにおいて、めくり速度が一番遅い「１」のときに、表示されるコンテンツは、図６−１に示すように、階層１＋２＋３すなわち全てのコンテンツである。そして、切替速度またはスクロール速度は、「遅い」の段階である。そして、めくり速度が「１」のつぎのレベルの「２」のときは、表示されるコンテンツは、「１」のときと同じ（階層１＋２＋３）で、速度のみが異なる（「速い」）ようになる。これによって、速度「１」と速度「２」との違いを表すようにしている。
【００５３】
めくり速度が「３」、「４」のときは、表示されるコンテンツは、図６−２に示すように、階層１＋２のみとなる。すなわち階層３を表示せず、その分、階層１および２を詰めて表示する。そして、切替速度またはスクロール速度は、めくり速度「３」が「遅い」で、めくり速度「４」が「速い」となる。
【００５４】
めくり速度が「５」、「６」のときは、表示されるコンテンツは、図６−３に示すように、階層１のみとなる。すなわち階層２および階層３を表示せず、その分、階層１を詰めて表示する。そして、切替速度またはスクロール速度は、めくり速度「５」が「遅い」で、めくり速度「６」が「速い」となる。
【００５５】
このように、コンテンツ表示は、めくり速度が２段階変化するごとに変更し、同じコンテンツ表示において、切替速度またはスクロール速度を切り替えることによって、見え方の違いを表すようにすることができる。
【００５６】
これに対して、図７の関係テーブルでは、めくり速度が１段階変化するごとに切替速度またはスクロール速度を変更することなく、コンテンツ表示を変更する。すなわち、めくり速度が「１」〜「３」のときに、コンテンツ表示をそれぞれ「階層１＋２＋３」、「階層１＋２」、「階層１」と変更する。その際の切替速度またはスクロール速度は、「遅い」のまま変更しない。そして、めくり速度が「４」のとき、再度コンテンツ表示を「階層１＋２＋３」に戻し、切替速度またはスクロール速度を「遅い」から「速い」へと変更する。以下同様に、めくり速度が「５」のときに「階層１＋２」、めくり速度が「６」のときに「階層１」と変更する。
【００５７】
図５の関係テーブル、図７の関係テーブルのいずれにしても、めくり速度が速くなるにつれて、コンテンツが最後まで表示されるまでの時間が短くなるように設定することで、めくり速度を上げると、コンテンツが速くめくれてあるいはスクロールして見えるように構成することができる。
【００５８】
（処理の手順）
つぎに、表示内容／切替時間決定部３０３の所定の手順について説明する。図８は、表示内容／切替時間決定部３０３の処理の手順を示すフローチャートである。図８のフローチャートにおいて、まず、操作者からのコンテンツの表示指示があったか否かを判断する（ステップＳ８０１）。コンテンツの表示指示は、たとえば記憶部３０１に記憶されているコンテンツの一覧を表示画面３００に表示し、その一覧から操作者が所望するコンテンツを選択させることによっておこなうことができる。
【００５９】
ステップＳ８０１において、表示指示があるのを待って、表示指示があった場合（ステップＳ８０１：Ｙｅｓ）は、該当するコンテンツを記憶部３０１から抽出する（ステップＳ８０２）。そして、抽出されたコンテンツの最初のページを表示画面３００に表示する（ステップＳ８０３）。この状態では、最初のページを表示したまま、ページの切替やスクロールは実行されない。最初に表示画面３００に表示されるのは最初のページには限定されず、前回最後に表示されたページであったり、あらかじめ登録されているページを表示するようにしてもよい。
【００６０】
つぎに、ページめくり速度の入力がＯＮになったか否かを判断する（ステップＳ８０４）。ここで、ＯＮになるまでは、そのまま最初のページを表示した状態を保持し、ＯＮになった場合（ステップＳ８０４：Ｙｅｓ）は、入力されたページめくり速度を確認する（ステップＳ８０５）。そして、確認したページめくり速度に基づいて、図５または図７の関係テーブルを用いて、コンテンツの表示内容を決定する（ステップＳ８０６）。ここで、切替速度またはスクロール速度もあわせて決定する。この決定に基づいて、ページめくり処理（スクロール処理）を実行する（ステップＳ８０７）。
【００６１】
ページめくり処理（スクロール処理）を実行中に、ページめくり速度が変更されたか否かを判断する（ステップＳ８０８）。ここで、ページめくり速度が変更された場合（ステップＳ８０８：Ｙｅｓ）は、ステップＳ８０５へ戻って、変更されたページめくり速度を認識し（ステップＳ８０５）、以下、ステップＳ８０５以降の処理を繰り返しおこなう。ステップＳ８０８において、ページめくり速度が変更されていない場合（ステップＳ８０８：Ｎｏ）は、つぎに、ページめくり速度の入力がＯＦＦになったか否かを判断する（ステップＳ８０９）。
【００６２】
ステップＳ８０９において、ページめくり速度の入力がＯＦＦになった場合（ステップＳ８０９：Ｙｅｓ）は、ページめくり処理を中断する（ステップＳ８１０）。したがって、中断された時点で表示されているコンテンツの内容を表示した状態で、表示画面３００の表示を静止する。そして、ステップＳ８０４へ戻って、再度、ページめくり速度の入力がＯＮになるのを待つ。
【００６３】
ステップＳ８０９において、ページめくり速度の入力がＯＦＦになっていない場合（ステップＳ８０９：Ｎｏ）は、つぎに、コンテンツの最後のページを表示したか否かを判断する（ステップＳ８１１）。ここで、未だ最後のページに至っていない場合（ステップＳ８１１：Ｎｏ）は、ステップＳ８０７へ移行し、ページめくり処理の実行を続ける。一方、最後のページに至り、最後のページを表示した場合（ステップＳ８１１：Ｙｅｓ）は、一連の処理を終了する。この際、ステップＳ８０３へ戻って最初のページを表示するようにしてもよく、所定のメニュー画面を表示し、別のコンテンツの表示指示の入力を待機するようにしてもよい。
【００６４】
（実施例）
つぎに、この発明の一実施例について説明する。表示画面３００に表示するコンテンツとして、以下の仕様のマニュアルを用いる。マニュアル１冊分の総ページ数が約１１３０ページである。図９は、この発明の一実施例にかかる表示制御に関する情報の一例を示す説明図であり、図１０−１〜図１０−６は、この発明の一実施例にかかるコンテンツの内容を示す説明図であり、図１１および図１２は、この発明の一実施例にかかる、所定のめくり速度でのコンテンツの表示内容を示す説明図である。
【００６５】
また、ページ繰り（スクロール）の標準時間５秒〜１０秒とする。そして、画面送りの想定量を毎秒２０〜１０画面とし、現在の表示位置における画面は、画面送りの想定量から算出する。実際に移す画面の切り替えは、スクロール形式とする。
【００６６】
表示中にページ繰り速度が変わる場合は、各章、各節の情報の詳細度を変えるため、各章番号や各節番号の間隔が広がったり、狭くなったりして、記載量が変わる。これは、コマが単に切り替わるだけでは、目まぐるしく画面が切り替わるため非常に見づらくなる。そこで、表示するコマだけでなく、前後のコマとの連続性を重視する。
【００６７】
図の表示は、表示位置における近傍の図がランダムに表示されるが、頻繁にアクセスされるページがあれば、その近傍の図（頻繁にアクセスされる図、またはその可能性が高い図）を優先的に表示するようにしてもよい。また、頻出用語も表示したりしてもよい。さらに、マニュアル全体における現在の表示位置を示す、たとえばスライダーバーを表示してもよい。
【００６８】
ここで、約１１３０ページのマニュアルを５秒でめくる場合を想定すると、毎秒１０画面として、全５０画面（５０画面をそれぞれ生成してもよく、また、５０画面を生成するのではなく、表示内容をスクロールさせて、０．１秒おきに画面を見た場合、５０画面になるようにしてもよい）であり、１画面当りマニュアル約２０ページ分に相当する。そして、前後１画面の内容を相対的に比較する。このように、前後の一部をあわせて表示することによって残像を用いた認識補助をおこなう。
【００６９】
図９において、第１コマは、Ｐ．１〜Ｐ．２０の２０ページ分を担当するので、その担当範囲は、第１章と、第２章の２．１となり、表示１（階層１）では、第１章のタイトルと第２章のタイトルを表示する。さらに、第１コマの担当範囲ではないが、残像を用いた認証補助をおこなうために、第２章に続く第３章のタイトルもあわせて表示する。また、表示２（階層２）では、第１章の１．１〜１．２の内容と、第２章の２．１〜２．２までの内容を表示する。図１１は、ページ操りの総時間が５秒の場合の最初の画面であり、第１コマの表示内容を示している。
【００７０】
第２コマは、Ｐ．２１〜Ｐ．４０の２０ページ分を担当するので、その担当範囲は、第２章の２．１〜２．６と、第３章の３．１〜３．２となり、表示１（階層１）では、第２章のタイトルと第３章のタイトルを表示する。さらに、第２コマの担当範囲ではないが、残像を用いた認証補助をおこなうために、第１章のタイトルも合わせて表示する。また、表示２（階層２）では、第２章の２．１〜２．６の内容と、第３章の３．１〜３．２までの内容を表示する。さらに、第２コマの担当範囲ではないが、残像を用いた認証補助をおこなうために、第３章の３．２〜３．３もあわせて表示する。
【００７１】
第３コマ以降も、第１コマ、第２コマと同様である。このようにして、第５０コマまでの表示内容を決定する。
【００７２】
また、図１２は、ページ操りの総時間が２０秒の場合の最初の画面である。約１１３０ページのマニュアルを２０秒でめくる場合を想定すると、毎秒１０画面として、全２００画面であり、１画面当りマニュアル約５〜６ページ分、すなわち（図１０−１〜図１０−６）に相当する。
【００７３】
以上説明したように、この発明の本実施の形態によれば、表示画面３００を備え、表示画面３００に文字および画像の少なくともいずれかからなる複数ページにわたるコンテンツをページごとに順次切り替えて、またはスクロールすることで連続的に表示するに際し、記憶部３０１が、コンテンツを記憶し、速度情報入力部３０２が、ページめくり速度に関する情報の入力を受け付け、表示内容／切替時間決定部３０３が、速度情報入力部３０２によって入力されたページめくり速度に関する情報に基づいて、記憶部３０１によって記憶されたコンテンツのうち、表示画面３００に表示する内容を決定し、表示制御部３０４が、表示画面３００を制御して、表示内容／切替時間決定部３０３によって決定された内容を順次切り替えて表示、またはスクロール表示し、さらに、表示内容／切替時間決定部３０３は、速度情報入力部３０２によって入力されたページめくり速度に関する情報に基づいて、各ページの切り替え時間またはスクロール速度を決定するので、多くのページをより高速で表示できる。その際にも、ページ操り速度を上げるために、切替時間を短縮したり、スクロール速度を上げることで、ページ操り速度を上げることによって起きる、コンテンツの内容が確認しづらくなるという問題点の発生を確実に防止することができる。
【００７４】
また、この発明の本実施の形態によれば、コンテンツの内容が階層構造をなし、表示内容／切替時間決定部３０３が、速度情報入力部３０２によって入力されたページめくり速度に関する情報に基づいて、コンテンツの所定の階層のみとなるように、表示するコンテンツの内容を決定し、コンテンツの情報量を効率よく減らす（間引く）ことができるので、多くのページを高速で表示する際にも、内容をより確実に把握することができる。
【００７５】
また、この発明の本実施の形態によれば、速度情報入力部３０２が、複数の接触検知部３１１を備え、操作者が表示装置１００の所定の位置（たとえば把持部１０２、１０３）を接触することによって、接触位置によって異なるページめくり速度となるように構成することができる。また、速度情報入力部３０２が、複数の接触検知部３１１を備え、操作者が表示装置の所定の位置から別の位置へ接触位置を移動させることによって、当該移動の速度によって異なるページめくり速度となるように構成することができる。また、速度情報入力部３０２が、圧力検出部３１２を備え、操作者が表示装置３００の所定の位置（たとえば把持部１０２、１０３）を接触することによって、その接触する圧力によって異なるページ速度となるように構成することができる。これによって、操作者は、速度情報の入力に際し、複雑な操作が不要となり、より直感的に表示装置３００を触ることで、その触り方によって、容易にかつ確実にめくり速度情報の入力ができる。
【００７６】
また、速度情報入力部３０２が、たわみ検出部３１３を備え、操作者が表示装置自体をたわませることによって、そのたわみ量によって異なるページ速度となるように構成することができる。これによって、冊子をぱらぱらとめくる際に、冊子をたわませるのと同様の操作によって、コンテンツのページ操りを実現することができる。
【００７７】
なお、本実施の形態で説明した表示装置は、あらかじめ用意されたプログラムをパーソナルコンピュータやワークステーション等のコンピュータで実行させることにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００７８】
以上のように、この発明は表示装置に利用可能であり、特に、マニュアルなどの複数ページにわたるコンテンツを連続表示する表示装置に用いるのに適している。
【図面の簡単な説明】
【００７９】
【図１】この発明の実施の形態にかかる表示装置の外観の一例を示す説明図である。
【図２】この発明の実施の形態にかかる表示装置のハードウエア構成を示すブロック図である。
【図３】この発明の実施の形態にかかる表示装置の機能的構成の一例を示すブロック図である。
【図４】把持部の詳細な外観の一例を示す説明図である。
【図５】記憶部に記憶された、めくり速度とコンテンツ表示・切替またはスクロール速度との関係テーブルの一例を示す説明図である。
【図６−１】この発明の実施の形態にかかる表示装置の表示画面に表示される表示内容の一例を示す説明図（その１）である。
【図６−２】この発明の実施の形態にかかる表示装置の表示画面に表示される表示内容の一例を示す説明図（その２）である。
【図６−３】この発明の実施の形態にかかる表示装置の表示画面に表示される表示内容の一例を示す説明図（その３）である。
【図７】記憶部に記憶された、めくり速度とコンテンツ表示・切替またはスクロール速度との関係テーブルの別の一例を示す説明図である。
【図８】表示内容／切替時間決定部の処理の手順を示すフローチャートである。
【図９】この発明の一実施例にかかる表示制御に関する情報の一例を示す説明図である。
【図１０−１】この発明の一実施例にかかるコンテンツの内容を示す説明図（その１）である。
【図１０−２】この発明の一実施例にかかるコンテンツの内容を示す説明図（その２）である。
【図１０−３】この発明の一実施例にかかるコンテンツの内容を示す説明図（その３）である。
【図１０−４】この発明の一実施例にかかるコンテンツの内容を示す説明図（その４）である。
【図１０−５】この発明の一実施例にかかるコンテンツの内容を示す説明図（その５）である。
【図１０−６】この発明の一実施例にかかるコンテンツの内容を示す説明図（その６）である。
【図１１】この発明の一実施例にかかる、所定のめくり速度でのコンテンツの表示内容を示す説明図である。
【図１２】この発明の一実施例にかかる、別の所定のめくり速度でのコンテンツの表示内容を示す説明図である。
【符号の説明】
【００８０】
１００  表示装置
１０１  ディスプレイ
１０２，１０３  把持部
１０４  操作ボタン
３００  表示画面
３０１  記憶部
３０２  速度情報入力部
３０３  表示内容／切替時間決定部
３０４  表示制御部
３１１  接触検知部
３１２  圧力検出部
３１３  たわみ検出部
【図１】
2010107688.tif 000003
【図２】
2010107688.tif 000004
【図３】
2010107688.tif 000005
【図４】
2010107688.tif 000006
【図５】
2010107688.tif 000007
【図６−１】
2010107688.tif 000008
【図６−２】
2010107688.tif 000009
【図６−３】
2010107688.tif 000010
【図７】
2010107688.tif 000011
【図８】
2010107688.tif 000012
【図９】
2010107688.tif 000013
【図１０−１】
2010107688.tif 000014
【図１０−２】
2010107688.tif 000015
【図１０−３】
2010107688.tif 000016
【図１０−４】
2010107688.tif 000017
【図１０−５】
2010107688.tif 000018
【図１０−６】
2010107688.tif 000019
【図１１】
2010107688.tif 000020
【図１２】
2010107688.tif 000021